(57)【要約】      （修正有）【課題】オープン状態で移動や運送が困難な精密模型等のジオラマを収納して運搬、移動が出来るとともに、本体が展示台にもなるキャリングボックスを提供する。【解決手段】矩形の底面体と側面体と背面体の３面半ボックス体２体で構成し、噛み合わせ構造と１方向のみに合体、分離ができるスライド構造の２つが同時に機能するスライドバー４０を設置して、３面半ボックス体２体を上下に合体させて固定具５０、５１で施錠すれば運搬、移動、収納が容易なキャリングボックスになり、３面半ボックス体２体を左右に配置してダボ機能を介して固定具で施錠すれば仕切りの無い左右対称の展示台になる。【選択図】図１０
0003215406.tif 000002
【実用新案登録請求の範囲】
【請求項１】
各々同じ厚さの底面体と側面体と背面体の３面体を各々直角に接合して構成される３面半ボックス体の２体を合わせて構成されるキャリングボックスにおいて、該底面体と該側面体、該側面体と該背面体、該背面体と該底面体が各々少なくても一辺は同じ長さを有する矩形からなる各々面体構造であることを特徴とするキャリングボックス。
【請求項２】
該２体の３面半ボックス体は各々、相互に直角向と左右向の固定具を有し、該固定具が各々鍵、蝶番、結束バンド、ファスナー及びラッチであることを特徴の請求項１記載のキャリングボックス。
【請求項３】
該２体の３面半ボックス体は各々、相互の合体及び分離用のスライド具を有し、噛み合わせ式のスライドバー構造であることを特徴とする請求項１又は請求項２記載のキャリングボックス。
【請求項４】
該２体の３面半ボックス体は各々、相互の合体及び分離用のハンドル具と、運搬用のハンドル具を有する構造を特徴とする請求項１から請求項３記載のキャリングボックス。
【請求項５】
該２体の３面半ボックス体は各々、該２体を左右一致に合体させるダボ構造を有し、２倍長さの開放された上面と前面を有する一方の側面どうし連結用のダボ具を有する構造を特徴とする請求項１から請求項４記載のキャリングボックス。
【請求項６】
該２体の３面半ボックス体は各々、該２体の該側面体にカットパネル構造を有し、該側面体の上方と前方の２辺を斜め渡りに分離した矩形を有するカットパネルを特徴とする請求項１から請求項５記載のキャリングボックス。
【考案の詳細な説明】
【技術分野】
【０００１】  本考案は移動と運搬と収納ができるキャリングボックスに関するものである。
【背景技術】
【０００２】  精密模型のなかでも鉄道模型は実際の列車が走る人工観と情景や景色の自然観を縮尺した模型で具現化する精密なジオラマを望み、道床付レールやストラクチャーが専門メーカーから発売されているが、精密なジオラマをボックスに収納して容易に移動や運搬が可能で、展示台も兼ねる収納形態は少ない。
【先行技術文献】
【特許文献】
【０００３】
【特許文献１】特開２００５−６５８２０広報
【非特許文献】
【０００４】
【非特許文献１】ヤマト運輸宅急便ご利用可能サイズ
【考案の概要】
【考案が解決しようとする課題】
【０００５】  特許文献１のレイアウトパネル収納ケースは、固有の部材の取り外しで収納ケースをバラバラに分解する必要があり、展示台の組立にレイアウトパネル２台を個々に取り出す方法の取り扱いが難しくジオラマを破損する可能性がある。また、レイアウトパネルの収納時は多数の部材の組立と多数の固定具を使用して重量が有る収納ケースの移動や運搬に手間がかかる。以上を改善することを課題とする。
【課題を解決するための手段】
【０００６】  課題について、ボックス内にジオラマを収納して、該ジオラマの破損を防ぎ、使用する部材の点数を減らして、展示台への組み立ての手間を簡略化し、複雑な多数の固定具を集約した固定具で確実なボックスを形成する事と、ボックスの軽量化で移動や運搬や収納を容易にする。
【考案の効果】
【０００７】  請求項１に記載の考案は、６面構造のボックスを展開すれば展示台になる該３面半ボックス体２体で構成して、該ボックス内部に収納する２つのジオラマを互い違いに収納する形態で２つの該ジオラマ面積が略１／２サイズのボックス状態になり省スペース効果がある。
請求項２に記載の考案は、該２体を合体して固定具で施錠すれば該２体の分離を防ぎ、安全に移動や収納が可能になり、密閉性を確保して日光や紫外線、酸素や湿気などによる該ジオラマの経年変化も抑える効果と、該展示台の時も該固定具を使用するので節約効果がある。
請求項３に記載の考案は、スライドバー構造の噛み合わせ機能とスライド機能が同時に働く構造で、該噛み合わせ機能は該３面半ボックス体の相互が前後左右にズレる事を防ぎ、該スライド機能は該３面半ボックス体２体の合体や分離をする時に一方向のみに限定して不確実な合体や分離を防ぐ効果がある。
請求項４に記載の考案は、該各々ハンドルがキャリングボックスの取り扱いと移動や運搬が容易になり、該２体の合体や分離の時も老若男女問わず容易な扱いを可能にする効果がある。
請求項５に記載の考案は、キャリングボックスを展開して該展示台にする時にダボを該２体の合体面各々に設置して確実に合体させる効果がある。
請求項６に記載の考案は、該展示台に設置の該ジオラマ鑑賞の視界を良好にする効果がある。また、各々側面体の手前上辺角９０度を鈍角等にすることで、近接の該ジオラマ鑑賞で不慮の事故で眼や身体の怪我を防ぐ効果もある。
【図面の簡単な説明】
【０００８】
【図１】キャリングボックス基本型縦斜視図
【図２】キャリングボックスにカットパネル１枚設置横斜視図
【図３】３面半ボックス体構造図
【図４】スライドバー噛み合わせ透視図
【図５】キャリングボックス横透視図及び合体構造拡大図
【図６】ダボ構造斜視図
【図７】カットパネル詳細図
【図８】カットパネル外観面横図
【図９】３面半ボックス体展開構造斜視図
【図１０】内観斜視図
【図１１】外観斜視図
【図１２】鉄道模型ジオラマ例展示台斜視図
【考案を実施するための形態】
【０００９】  ３面半ボックス体２体の各々面体と付随する固定具とスライドバーとハンドルとダボとカットパネルで構成するキャリングボックス。
【実施例】
【００１０】  以下、添付図面に従って実施例を説明する。図１に示すキャリングボックス１は、３面半ボックス３の底面体５に設置した運搬用ハンドル６１を上面にした縦方向の基本形の斜視図であり、図２に示す該キャリングボックス１は、持ち上げ用ハンドル６０を上面にして横置きにしたカットパネル３０を１つ設置した斜視図である。また、該各々面体の外観面には化粧板１２を接合する。【００１１】  また、該キャリングボックス１の該各々面体の３サイズは、図１０の該３面半ボックス体１体の横幅７５に厚板７８を足した寸法と奥行７６の寸法と高さ７７の寸法で決まり、該底面体と該側面体と該背面体で構成する該２体の該３サイズはフリーサイズである。【００１２】  また、該キャリングボックス１の該３サイズを４つに区別して、参考基準をクロネコヤマト宅急便の梱包サイズで８０ｃｍ以内までを小型、１２０ｃｍ以内を中型、１６０ｃｍ以内を大型、１６０ｃｍ以上を特大として該サイズの該区別の該参考基準にする。【００１３】  また、該キャリングボックス１の該各々面体には該小型、該中型、該大型までは合成木材やプラスチック板や段ボールやポリスチレンフォームや発泡スチロールや発泡ウレタン等を構成材として軽量化を図り、壁紙やシートや木材薄板やアルミ箔などの化粧板１２を各々面体の外観面に接合して外部より該構成材を保護する。また、該特大は該各々面体にパーチクルボードやＭＤＦボードや杉やヒノキの木材板等や軽金属板等を使用して該２体の捻じれや破損を防ぐ強度を確保する。【００１４】  また、該キャリングボックス１の各々ハンドル６０，６１は、鞄やバッグなどに使われる皮製や布製などの持ち手やファスナーやハードケース用の金属製ハンドルなど多種多様にある。設置する該ハンドル６０，６１の形態は該３サイズや総重量によって形状及び耐荷重などを考慮して選考する。また、該ハンドル６０，６１は該２体のいずれか各々設置する。【００１５】  また、図２の持ち上げ用ハンドル６０を該２体の底面体５の上面に設置した場合に、該固定具の製品厚が設置面と該底面体５の間で突起物状態になり、図１０の該２体が該左右一致の水平状態で設置は不可能である。解消策は該ハンドル６０を埋め込み構造もしくは取り外し構造等にして該製品厚を解消する。また、運搬用ハンドル６１の設置の該構造は選択とする。【００１６】  また、該各々面体の該構成材により該埋め込み構造や該取り外し構造が不可能な場合は、該底面体５，６の各々矩形面に該製品厚より高さの有るハカマやスタンドやゴム足数個を設置して該突起物状態を解消する。【００１７】  また、図１の固定具５０，５１の形状はパッチン錠を図に示している。該パッチン錠は木ネジ等で容易に設置できて取り扱いも容易で、確実に施錠できる該パッチン錠が望ましい。【００１８】  図３に示す３面半ボックス体２の底面体４を上向き，３面半ボックス３の底面体５を下向きにして、左右に配置して真上方向から見た該３面半ボックス体２，３の構造図で、該底面体４、５が向かい合う状態で合体すれば図１，２のキャリングボックス１になる。【００１９】  また、該３面半ボックス体３に設置した場合の該ハンドル６０の位置決め参考の記載であり、底面体５の内面奥行７���の寸法を２等分ａした位置と内面横幅７２の任意に左右２辺から同じ寸法ｂを取ったラインが直角にクロスする位置ｅに該ハンドル６０の中心を置き設置する。また、該ハンドル６０を１つ設置は該右底面体４の矩形角より対角線ｃ２本のクロス点ｄに設置する。【００２０】  また、図１、図３の運搬用ハンドル６１はハンドル６０の設置を参考に図１の右側面体７上の矩形角より対角線を２本引き、該対角線のクロスする該矩形の中心に該ハンドル６１を設置する。また、該キャリングボックス１の該３サイズや該総重量によって該ハンドル６０，６１は各々面体５，７の任意の位置に追加設置も可能である。【００２１】  図４に示す図２のキャリングボックス１のスライドバー機能を拡大した透視図で、図１０の左側面体６に設置のスライドバー４０と右背面体９に設置のスライドバー４０が手前方向と奥方向より噛み合わせ、左背面体８に設置のスライドバー４０と右側面体７に設置のスライドバー４０は左右方向に噛み合わせて該２体の前後と左右の分離を同時に防ぐ。また、図１０の各々スライドバー４０は棒形状の噛み合わせによる上下方向のみのスライド構造である。【００２２】  また、該スライドバーはアルミチャンネルの使用が望ましく、確実な噛み合わせと変形しにくい材質がスライド構造に適しているためである。また、該噛み合わせ構造と該スライド構造が同時に機能する構造であればレール、フックやＬ型アングル等を多用する形態でも可能である。【００２３】  図５に示す該ジオラマ９０，９１を収納した図１２の該２体を上下に合体させた該キャリングボックス１と安定バー１１の構造拡大の透視図であり、図１２の該ジオラマ９０，９１は一般的にストラクチャーの駅や住宅やビル等を手前に低く配置した凹部と、奥に高さの有る山林や渓谷など自然を配置した凸部で手前の視界を妨げない視野を広く取った作例のジオラマである。【００２４】  そこで図５の該２体の合体は、互い違いに収納した該ジオラマ９０，９１の各々該凸部を各々手前の該凹部の空間を利用して、図１０の該ジオラマ９０，９１の該ストラクチャーが接触しない高さ７７を調整して該３サイズをコンパクト化する収納方法である。【００２５】  また、安定バー１１の拡大透視図は、アルミチャンネルの噛み合わせ構造で、各々面体４，５，８，９に設置の該安定バー１１により該背面体８と該底面体４，該背面体９と該底面体５の直角に合体する横ずれを防ぐ。【００２６】  図６に示すダボ構造は、ダボ２０とダボ穴２１とダボ収納穴２２で構成して、該２体の開放された各々底面体４，５と各々背面体，８，９にサイドバー１０を接合して、該左右一致に合体する面の両端より任意にａ寸法を取りダボ穴中心点ｂに該ダボ穴２１を水平に設置する。該ダボ２０は差し込み、取り外し構造にして、展示台の終了後は該各々底面体４，５に設置の該ダボ収納穴２２に差し込み収納する。【００２７】  また、該ダボ機能以外に磁石やファスナーやフックやＨ型アングル等の機能で該サイドバー１０に設置も可能である。【００２８】  図７に示すカットパネル構造は、各々側面体６，７の矩形上部のカット箇所ｂと該矩形の前部のカット箇所ｃの各々２辺の斜め渡りにカットしてカットラインａにより五角形の該各���側面体６，７が形成される。次に該カットラインａにより直角三角形のカットパネル３０が形成される。【００２９】  また、該カットパネル３０は１つの設置も可能である。また、該カットラインａを決定する該カット箇所ｂと該カット箇所ｃは任意とする。また、該斜め渡りの該カットラインａは直線以外の曲線でも可能である。【００３０】  また、該各々側面体６，７に接合の各々スライドバー４０も該カットラインａに沿って２分割する。また、サイドバー１０も同様に該カットラインａに沿って２分割する。【００３１】  図８に示す各々側面体６，７と各々カットパネル３０の外観面に蝶番３１を設置して図１２に示す該カットパネル３０の可動が外開き構造にする。【００３２】  また、該カットパネル３０の構造で図６のダボ機能等の取り外し構造でも可能である。【００３３】  図９に示す該２体の展開摸式図であり、図１、２のキャリングボックス１を展開して図１２の該展示台に至る流れを示しており、図１，２の各々固定具５０，５１を開錠して、３面半ボックス体３を持ち上げ用ハンドル６０を用いて図４、図１０の各々スライドバー４０の可動方向の上方に分離して、該３面半ボックス３を水平方向に１８０度回転させて該２体の側板開放面を図６のダボ構造を介して該左右一致に合体させて、図１０，１１の該各々固定具５０，５１で施錠して展示台化する。【００３４】  また、図１０の該展示台から該キャリングボックス１への手順は、開錠、該２体分離、ダボ収納、該２体１つを水平方向に１８０度回転、該２体をスライドして、該合体させて施錠する該展示台化への逆の手順で合体状態の該キャリングボックス１になる。【００３５】  図１０に示す該２体を該左右一致に配置した該展示台の内観斜視図であり、各々面体４〜９の構成と各々サイドバー１０と各々スライドバー４０と各々安定バー１１と各々カットパネル３０と各々ダボ収納穴２２と固定具５０，５１等の位置と配置の詳細図である。【００３６】  また、該各々面体６，７，８，９の内観面は該ジオラマにより景色等のポスターや印刷物などを貼り設置して情景の表現が可能である。【００３７】  また、安定バー１１の設置の位置は、各々背面体８，９のボックス内面高７４の上辺から厚板７８を引いた寸法の水平位置に各々設置して、次に該各々背面体８，９の該各々安定バー１１と噛み合う各々底面体４，５の前面開放矩形辺に沿い設置して、図５の該各々安定バー１１を合致させる。【００３８】  また、該各々底面体５，６の該安定バー１１の長さはボックス内面横幅７２より短く、固定具凸凹５０，５１及びダボ穴２２の機能を阻害しない寸法で設置する。また、該各々背面体８，９の該安定バー１１も同じ寸法の噛み合わせ構造で設置する。【００３９】  また、各々サイドバー１０の設置位置は各々底面体４，５の前面開放位置の各々側面体６，７に寸法は高さ７７で接合する。【００４０】  また、各々スライドバー４０の設置位置は、図４の該２体の該合体する該サイドバー１０を阻害しない各々側面体６，７の各々前面開放面の位置と、各々背面体８，９の各々側面開放面の位置に各々底面体４，５より垂直に立ち上げ接合する。【００４１】  また、各々スライドバー４０の長さは該２体の内面高さ７��より板厚７８を引いた寸法以下のスライドバー長４１にする。【００４２】  また、各々ダボ収納穴２２の設置位置は各々底面体４，５に設置の安定バー１１の横直線上の該各々底面体４，５の前面開放面に設置する。【００４３】  また、各々底面体４，５に設置の固定具５０，５１は該各々底面体４，５の前面開放面に設置する。【００４４】  図１１に示す該展示台の外観面斜視図であり、図１，２の各々固定具５０凸を該展示台化にも流用して、各々背面体８，９の左右錠位置７０，７１に固定具５１凹を追加設置して該固定具５０，５１を施錠する。【００４５】  また、左右鍵位置７０，７１は、図１０の各々側面体の高さ７７を２等分した範囲内に設置して該各々固定具５０，５１が接触しない箇所に設置する。図１１の左右鍵位置７０，７１も準ずる位置に該固定具５１を設置する。【００４６】  図１２に示す該ジオラマ９０，９１を各々底面体４，５上に固定した該２体を左右に配置した仕切りの無い該展示台の斜視図であり、該キャリングボックス１の該展示台の完成図である。【００４７】  また、作例の該ジオラマ９０，９１は該３サイズに適合すれば別途のジオラマと入れ替えが可能である。【００４８】  また、該キャリングボックス１の単体の遊戯が前提だが、該２体の該各々面体４〜８の任意の箇所に貫通口を設置すれば、該ジオマラ９０，９１上の線路や道路やトンネルをボックス外へ延長して複数の該キャリングボックスの遊戯が可能である。【００４９】  図１２に示す図１，２のキャリングボックス１は、内部に販売品や材料などを収納して運搬も可能であり、該キャリングボックス１の図１１に示す該外観面６〜７をコマーシャル面として、図１０の該各々底面体４，５に調理器具等を設置すれば商業ベースの販売ブース等や展示ブース等の利用も可能である。
【産業上の利用可能性】
【００５０】  収納ケース機能と展示台機能を有する６面ボックスで精密品の運搬、移動などの取扱いが容易で、簡単な展示台のセッティング構造は精密模型の普及と商業ベースの各種ブースとしての利用価値がある。
【符号の説明】
【００５１】  １  キャリングボックス
２  ３面体半ボックス左
３  ３面体半ボックス右
４  左底面体
５  右底面体
６  左側面体
７  右側面体
８  左背面体
９  右背面体
１０  サイドバー
１１  安定バー
１２  化粧板
２０  ダボ
２１  ダボ穴
２２  ダボ収納穴
３０  カットパネル
３１  蝶番
４０  スライドバー
４１  スライドバー長
５０  固定具凸
５１  固定具凹
６０  持ち上げ用ハンドル
６１  運搬用ハンドル
７０  左錠位置
７１  右錠位置
７２  内面横幅（３面半ボックス体７２〜７８）
７３  内面奥行
７４  内面高
７５  横幅
７６  奥行
７７  高さ
７８  板厚
９０  ジオラマ左
９１  ジオラマ右
【図１】
0003215406.tif 000003
【図２】
0003215406.tif 000004
【図３】
0003215406.tif 000005
【図４】
0003215406.tif 000006
【図５】
0003215406.tif 000007
【図６】
0003215406.tif 000008
【図７】
0003215406.tif 000009
【図８】
0003215406.tif 000010
【図９】
0003215406.tif 000011
【図１０】
0003215406.tif 000012
【図１１】
0003215406.tif 000013
【図１２】
0003215406.tif 000014
【手続補正書】
【提出日】平成29年12月12日(2017.12.12)
【手続補正１】
【補正対象書類名】実用新案登録請求の範囲
【補正対象項目名】全文
【補正方法】変更
【補正の内容】
【実用新案登録請求の範囲】
【請求項１】
各々同じ厚さの底面体と側面体と背面体の３面体を各々直角に接合して構成される３面半ボックス体の２体を合わせて構成されるキャリングボックスにおいて、該底面体と該側面体、該側面体と該背面体、該背面体と該底面体が各々少なくても一辺は同じ長さを有する矩形からなる各々面体構造であることを特徴とするキャリングボックス。
【請求項２】
該２体の３面半ボックス体は各々、相互に直角向と左右向の固定具を有し、該固定具が各々鍵、蝶番、結束バンド、ファスナーまたはラッチであることを特徴の請求項１記載のキャリングボックス。
【請求項３】
該２体の３面半ボックス体は各々、相互の合体及び分離用のスライド具を有し、噛み合わせ式のスライドバー構造であることを特徴とする請求項１又は請求項２記載のキャリングボックス。
【請求項４】
該２体の３面半ボックス体は各々、相互の合体及び分離用のハンドル具と、運搬用のハンドル具を有する構造を特徴とする請求項１から請求項３記載のいずれか１項に記載のキャリングボックス。
【請求項５】
該２体の３面半ボックス体は各々、該２体を左右一致に合体させるダボ構造を有し、２倍長さの開放された上面と前面を有する一方の側面どうし連結用のダボ具を有する構造を特徴とする請求項１から請求項４のいずれか１項に記載のキャリングボックス。
【請求項６】
該２体の３面半ボックス体は各々、該２体の該側面体にカットパネル構造を有し、該側面体の上方と前方の２辺を斜め渡りに分離した矩形を有するカットパネルを特徴とする請求項１から請求項５のいずれか１項に記載のキャリングボックス。